(57)【特許請求の範囲】
【請求項１】
電気接続箱の箱本体内に取り付けられる電気部品が前記箱本体に取り付けられるに先立ち、前記箱本体から引き出されたワイヤハーネスのコネクタを、前記電気部品に接続される前に仮保持するためのコネクタカバーであって、
前記コネクタを保持する保持部と、前記箱本体に取り付けられる箱取付部と、前記箱取付部が前記箱本体に取り付けられると当該箱本体内に収容される本体部と、を備えて、
前記箱取付部が前記箱本体に取り付けられることで前記コネクタを前記箱本体に位置決めするコネクタカバーにおいて、  前記箱取付部が、
前記本体部の一端部の外面から凸でかつ前記箱本体に設けられた電気部品を固定するロック部が係止する係止突起と、
前記本体部の他端部の外面に一端が連なりかつ他端が自由端のアーム本体と、前記アーム本体の中央部に設けられかつ前記箱本体に設けられた電気部品を固定するロック部に係止する突起と、を備え、前記突起が前記ロック部に係止すると、前記アーム本体の前記他端が前記ロック部よりも前記箱本体の外側に位置する係止アームと、
を備えたことを特徴とするコネクタカバー。
【請求項２】
前記本体部の前記一端部の前記外面から凸でかつ前記係止アームの長手方向に沿って延在しているとともに、前記保持部から離れるのにしたがって前記外面からの突出量が徐々に減少する減少部を有した位置決めリブを備えたことを特徴とする請求項１記載のコネクタカバー。
【請求項３】
ワイヤハーネスのコネクタを保持する保持部と、電気接続箱の箱本体に取り付けられる箱取付部と、前記箱取付部が前記箱本体に取り付けられると当該箱本体内に収容される本体部と、を備えて、前記箱取付部が前記箱本体に取り付けられることで前記コネクタを前記箱本体に位置決めするコネクタカバーにおいて、
前記箱取付部が、
前記本体部の一端部の外面から凸でかつ前記箱本体に設けられた電気部品を固定するロック部が係止する係止突起と、
前記本体部の他端部の外面に一端が連なりかつ他端が自由端のアーム本体と、前記アーム本体の中央部に設けられかつ前記箱本体に設けられた電気部品を固定するロック部に係止する突起と、を備え、前記突起が前記ロック部に係止すると、前記アーム本体の前記他端が前記ロック部よりも前記箱本体の外側に位置する係止アームと、
を備え、
前記本体部の前記一端部の前記外面から凸でかつ前記係止アームの長手方向に沿って延在しているとともに、前記保持部から離れるのにしたがって前記外面からの突出量が徐々に減少する減少部を有した位置決めリブを備えたことを特徴とするコネクタカバー。
【請求項４】
前記位置決めリブを一対備え、これら一対の位置決めリブが前記係止突起を互いの間に位置付ける位置に設けられていることを特徴とする請求項１乃至請求項３のうちいずれか一項記載のコネクタカバー。
【請求項５】
電気部品が装着される電気接続箱の箱本体と、
前記箱本体に取り付けられてワイヤハーネスのコネクタを前記箱本体に位置決めするコネクタカバーと、を備えた接続箱ユニットにおいて、
前記コネクタカバーとして、請求項１乃至請求項４のうちいずれか一項に記載のコネクタカバーを備えたことを特徴とする接続箱ユニット。
【発明の詳細な説明】
【技術分野】
【０００１】
本発明は、移動体としての自動車などに搭載される電気接続箱に用いられるコネクタカバーと当該コネクタカバーを備えた接続箱ユニットに関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
前述した電気接続箱は、外郭を形成するリレー、ヒューズやこれらのリレー及びヒューズを複数内蔵したパワーインテグレーションなどの電気部品を装着する箱本体と、前記箱本体内に設けられたバスバと、を備えている。
【０００６】
箱本体は、その下面に前記自動車に搭載される各種の電子機器に接続したワイヤハーネスのコネクタが嵌合する。箱本体には、バッテリや発電機に接続した電源ケーブルが接続する。また、箱本体には、前記パワーインテグレーションを収容する空間が設けられている。当該空間には、勿論、パワーインテグレーションを固定する固定部が設けられている。また、前記パワーインテグレーションは、その下面にワイヤハーネスの他のコネクタが嵌合する。バスバは、前記電源ケーブルと、前記ヒューズ、リレーやパワーインテグレーションなどの電気部品と、ワイヤハーネスのコネクタの各端子即ち各種の電子機器とを予め定められたパターンにしたがって電気的に接続する。
【０００７】
前述した電気接続箱は、電源からの電力が電源ケーブルにより供給され、この電力を分岐し、前述したヒューズ、リレーやパワーインテグレーションを通した後に、ワイヤハーネスの電線を介して、各種の電子機器に供給する。
【発明の概要】
【発明が解決しようとする課題】
【０００８】
前述した従来の電気接続箱は、電気部品としてのパワーインテグレーションが自動車の組み立てラインにおいて取り付けられることがある。この場合、箱本体にパワーインテグレーション以外の電気部品やワイヤハーネスのコネクタが取り付けられた状態の接続箱ユニットを、自動車の組み立てラインまで搬送し、当該自動車の組み立てラインで前記パワーインテグレーションに所望のワイヤハーネスのコネクタを取り付けて、当該パワーインテグレーションを箱本体に取り付けて、前述した電気接続箱を組み立てる。
【０００９】
パワーインテグレーションに取り付けられるコネクタが電気接続箱の奥（底）の方にあるために取り出しにくく、ワイヤハーネスのコネクタが多数の電線の端末に取り付けられているために、パワーインテグレーションに取り付けられるコネクタが箱本体内に収容されている間に電線同士が絡みついて、前記自動車の組み立てラインにおいて、前記パワーインテグレーションをスムーズに取り付けることができないことが考えられる。そこで、本願発明の出願人は、前記コネクタを保持し、箱本体のパワーインテグレーションが取り付けられる箇所に仮止めされて、箱本体にパワーインテグレーションに取り付けられるコネクタを位置決めするコネクタカバーを提案している。この種のコネクタカバーは、自動車の組み立てラインにおいてパワーインテグレーションを容易に取り付けることを可能とするために、箱本体から簡単に取り外すことができることが望まれて居る。
【００１０】
したがって、本発明の目的は、箱本体から簡単に取り外すことができるコネクタカバー及び当該コネクタカバーを備えた接続箱ユニットを提供することにある。
【課題を解決するための手段】
【００１１】
前記課題を解決し目的を達成するために、請求項１に記載の本発明のコネクタカバーは、電気接続箱の箱本体内に取り付けられる電気部品が前記箱本体に取り付けられるに先立ち、前記箱本体から引き出されたワイヤハーネスのコネクタを、前記電気部品に接続される前に仮保持するためのコネクタカバーであって、前記コネクタを保持する保持部と、前記箱本体に取り付けられる箱取付部と、前記箱取付部が前記箱本体に取り付けられると当該箱本体内に収容される本体部と、を備えて、前記箱取付部が前記箱本体に取り付けられることで前記コネクタを前記箱本体に位置決めするコネクタカバーにおいて、前記箱取付部が、前記本体部の一端部の外面から凸でかつ前記箱本体に設けられた電気部品を固定するロック部が係止する係止突起と、前記本体部の他端部の外面に一端が連なりかつ他端が自由端のアーム本体と、前記アーム本体の中央部に設けられかつ前記箱本体に設けられた電気部品を固定するロック部に係止する突起と、を備え、前記突起が前記ロック部に係止すると、前記アーム本体の前記他端が前記ロック部よりも前記箱本体の外側に位置する係止アームと、を備えたことを特徴としている。
【００１２】
請求項２に記載の本発明のコネクタカバーは、請求項１記載のコネクタカバーにおいて、前記本体部の前記一端部の前記外面から凸でかつ前記係止アームの長手方向に沿って延前記本体部の前記一端部の前記外面から凸でかつ前記係止アームの長手方向に沿って延在しているとともに、前記保持部から離れるのにしたがって前記外面からの突出量が徐々に減少する減少部を有した位置決めリブを備えたことを特徴としている。請求項３に記載の本発明のコネクタカバーは、ワイヤハーネスのコネクタを保持する保持部と、電気接続箱の箱本体に取り付けられる箱取付部と、前記箱取付部が前記箱本体に取り付けられると当該箱本体内に収容される本体部と、を備えて、前記箱取付部が前記箱本体に取り付けられることで前記コネクタを前記箱本体に位置決めするコネクタカバーにおいて、前記箱取付部が、前記本体部の一端部の外面から凸でかつ前記箱本体に設けられた電気部品を固定するロック部が係止する係止突起と、前記本体部の他端部の外面に一端が連なりかつ他端が自由端のアーム本体と、前記アーム本体の中央部に設けられかつ前記箱本体に設けられた電気部品を固定するロック部に係止する突起と、を備え、前記突起が前記ロック部に係止すると、前記アーム本体の前記他端が前記ロック部よりも前記箱本体の外側に位置する係止アームと、を備え、前記本体部の前記一端部の前記外面から凸でかつ前記係止アームの長手方向に沿って延在しているとともに、前記保持部から離れるのにしたがって前記外面からの突出量が徐々に減少する減少部を有した位置決めリブを備えたことを特徴としている。
【００１３】
請求項４に記載の本発明のコネクタカバーは、請求項１乃至請求項３のうちいずれか一項記載のコネクタカバーにおいて、前記位置決めリブを一対備え、これら一対の位置決めリブが前記係止突起を互いの間に位置付ける位置に設けられていることを特徴としている。
【００１４】
請求項５に記載の本発明の接続箱ユニットは、電気部品が装着される電気接続箱の箱本体と、前記箱本体に取り付けられてワイヤハーネスのコネクタを前記箱本体に位置決めするコネクタカバーと、を備えた接続箱ユニットにおいて、前記コネクタカバーとして、請求項１乃至請求項４のうちいずれか一項に記載のコネクタカバーを備えたことを特徴としている。
【００１５】
請求項１に記載した本発明のコネクタカバーによれば、箱取付部が本体部の一端部から突出した係止突起と、本体部の他端部に設けられた係止アームとを備え、係止アームの他端が箱本体に設けられたロック部よりも外側に位置している。このために、係止アームの他端をロック部に対する係止を解除する方向に容易に移動させることができ、当該係止アームの係止を容易に解除でき、コネクタカバーを箱本体から容易に取り外すことができる。
【００１６】
請求項２に記載した本発明のコネクタカバーによれば、本体部の係止突起が設けられた一端部に位置決めリブを設けているので、当該位置決めリブにより箱本体に取り付けられたコネクタカバーを位置決めすることができる。また、位置決めリブが保持部から離れるのにしたがって徐々に突出量が減少した減少部を備えているので、位置決めリブが、係止アームの係止を解除してコネクタカバーを箱本体から取り外す際に、箱本体に引っ掛かることを防止できる。
【００１７】
請求項４に記載した本発明のコネクタカバーによれば、位置決めリブを一対備え、これら一対の位置決めリブ間に係止突起を位置付けているので、箱本体に取り付けられたコネクタカバーを確実に位置決めすることができる。
【００１８】
請求項５に記載した本発明の接続箱ユニットによれば、前述したコネクタカバーを備え
ているので、係止アームの他端をロック部に対する係止を解除する方向に容易に移動させ
ることができ、当該係止アームの係止を容易に解除でき、コネクタカバーを箱本体から容
易に取り外すことができる。
【発明の効果】
【００１９】
以上説明したように請求項１に記載の本発明は、係止アームの他端をロック部に対する係止を解除する方向に容易に移動させることができ、当該係止アームの係止を容易に解除でき、コネクタカバーを箱本体から容易に取り外すことができる。したがって、箱本体からコネクタカバーを簡単に取り外すことができる。
【００２０】
請求項２に記載の本発明は、箱本体に取り付けられたコネクタカバーを位置決めすることができるとともに、位置決めリブが、係止アームの係止を解除してコネクタカバーを箱本体から取り外す際に、箱本体に引っ掛かることを防止できる。よって、箱本体からコネクタカバーを確実に簡単に取り外すことができる。
【００２１】
請求項４に記載の本発明は、箱本体に取り付けられたコネクタカバーを確実に位置決め
することができる。
【００２２】
請求項５に記載の本発明は、前述したコネクタカバーを備えているので、箱本体からコ
ネクタカバーを簡単に取り外すことができる。
【図面の簡単な説明】
【００２３】
【図１】本発明の一実施形態に係る接続箱ユニットの斜視図である。
【図２】図１に示された接続箱ユニットの平面図である。
【図３】図２中のＩＩＩ−ＩＩＩ線に沿う断面図である。
【図４】図１に示された接続箱ユニットの箱本体の平面図である。
【図５】図１に示された接続箱ユニットのコネクタカバーの斜視図である。
【図６】図５に示されたコネクタカバーの他の斜視図である。
【図７】図５に示されたコネクタカバーの更に他の斜視図である。
【図８】図５に示されたコネクタカバーの第１取付部の平面図である。
【図９】図１に示された接続箱ユニットの斜視図である。
【図１０】図９に示された接続箱ユニットからコネクタカバーが取り外された状態を示す斜視図である。
【図１１】図１０に示されたコネクタカバーから取り外されたワイヤハーネスのコネクタがパワーインテグレーションに取り付けられた状態を示す斜視図である。
【図１２】図１１に示されたパワーインテグレーションが箱本体に取り付けられた状態を示す斜視図である。
【発明を実施するための形態】
【００２４】
以下、本発明の一実施形態にかかるコネクタカバー及び接続箱ユニットを、図１ないし図１２に基づいて説明する。本実施形態にかかる図１に示す接続箱ユニット１は、図１ないし図３に示すように、電気接続箱２の箱本体３と、コネクタカバー４とを備えている。電気接続箱２は、移動体としての自動車に搭載される。電気接続箱２は、箱本体３（図４に示す）と、電気部品としてのパワーインテグレーション５（図１１などに示す）と、図示しないアッパカバーと、ロアカバー６（図９などに示す）とを備えている。
【００２５】
箱本体３は、図２及び図４に示すように、その平面形状が矩形状に形成されている。箱本体３は、図１中上方に位置する上面（表面に相当）にリレー７（図２に示す）やヒューズ３６（図２に示す）などの各種の電気部品が装着され、図１中下方に位置する下面（表面に相当）に前記自動車に配索されるワイヤハーネス８（図１０に一部示す）のコネクタ９（図１０などに示す）が嵌合する。ワイヤハーネス８は、複数の電線１０（図１０に一部示す）と、これら電線１０の端末に取り付けられた複数のコネクタ９（図１０に一部示す）とを備えている。コネクタ９のうちの一部が前記自動車に搭載される各種の電子機器に嵌合し、他の一部が箱本体３の下面に嵌合し、残りの二つがパワーインテグレーション５の図１１中下方に位置する下面（表面に相当）に嵌合する。
【００２６】
箱本体３には、図４に示すように、部品収容部１１が設けられている。部品収容部１１は、箱本体３の外縁の近傍に設けられかつ当該箱本体３を前記上下面が相対する方向に貫通した空間に形成されている。部品収容部１１は、その平面形状がく形状に形成されている。部品収容部１１の平面形状の長手方向は、箱本体３の平面形状の長手方向と平行に設けられている。部品収容部１１の長手方向に沿って相対する二つの内面１１ａには、それぞれ、ロック部としてのロックアーム１２と、一対の位置決め溝１３が設けられている。
【００２７】
ロックアーム１２は、アーム状に形成され、その一端部が前記内面１１ａの下面側の端部に連なり、他端部が上面側に位置しかつ自由端に形成されている。ロックアーム１２は、上面側の端を除いて、その略全長に亘って中央に貫通孔１４を設けている。ロックアーム１２は、貫通孔１４内にパワーインテグレーション５の後述する係止突起１５が侵入しかつ当該係止突起１５を前述した端に引っ掛けることで、当該パワーインテグレーション５の係止突起１５が係止する。ロックアーム１２は、係止突起１５に係止することで、パワーインテグレーション５を部品収容部１１内に収容した格好で箱本体３に固定する。位置決め溝１３は、前記内面１１ａから凹に形成されているとともに、互いの間にロックアーム１２を位置付ける位置に設けられている。また、位置決め溝１３は、その長手方向がロックアーム１２の長手方向と平行に設けられている。一対の位置決め溝１３は、図４に示すように、前記内面１１ａから凹でかつ互いに平行な平行部２７と、この平行部２７に連なりかつ互いに離れる方向に延在した離間部２８とを備えている。
【００２８】
また、箱本体３には、バッテリや発電機などの電源に接続した電源ケーブルの端末に取り付けられた端子金具が取り付けられる。さらに、箱本体３内には、図示しないバスバが設けられている。バスバは、導電性の板金に打ち抜き加工や曲げ加工が施されて得られる。バスバは、箱本体３の上面に取り付けられたリレー７やヒューズ３６と、下面に嵌合したワイヤハーネス８のコネクタ９の各端子と、電源ケーブルの端末に取り付けられた端子金具と、パワーインテグレーション５とを予め定められたパターンにしたがって電気的に接続する。
【００２９】
パワーインテグレーション５は、図１１に示すように、外観が部品収容部１１内に収容可能な大きさの扁平な箱状に形成されている。パワーインテグレーション５は、その内部にリレーやヒューズなどを実装した基板を収容している。パワーインテグレーション５は、図１１中下方に位置する下面にワイヤハーネス８のコネクタ９が嵌合する。当該コネクタ９の端子は、パワーインテグレーション５内の基板に接続する。当該基板には、箱本体３内のバスバを介して電源からの電力が供給される。また、パワーインテグレーション５は、その長手方向の両端に当該両端から凸でかつロックアーム１２に係止する係止突起１５と、位置決め溝１３内に侵入するリブ１６が設けられている。パワーインテグレーション５は、その下面にワイヤハーネス８のコネクタ９が嵌合した状態で、部品収容部１１内に挿入される。そして、パワーインテグレーション５は、係止突起１５がロックアーム１２に係止して、箱本体３内に収容される。
【００３０】
アッパカバーは、絶縁性の合成樹脂で構成されて、箱本体３の上面を覆うように、当該箱本体３に取り付けられる。ロアカバーは、絶縁性の合成樹脂で構成されて、箱本体３の下面を覆うように、当該箱本体３に取り付けられる。
【００３１】
前述した構成の電気接続箱２は、電源ケーブルから供給された電源からの電力を分岐して、リレー７、ヒューズ３６、パワーインテグレーション５内のリレーやヒューズを通して、ワイヤハーネス８を介して自動車に搭載される各電子機器に供給する。
【００３２】
コネクタカバー４は、パワーインテグレーション５を取り付ける前の箱本体３に、当該パワーインテグレーション５に取り付けられるワイヤハーネス８のコネクタ９を位置決めしておくために用いられる。コネクタカバー４は、絶縁性の合成樹脂で構成されており、部品収容部１１内に収容可能な大きさの扁平な箱状に形成されている。
【００３３】
コネクタカバー４は、図５ないし図７に示すように、箱状の本体部１７と、保持部１８と、箱取付部１９とを備えている。本体部１７は、コネクタカバー４が箱本体３に取り付けられると、勿論、部品収容部１１即ち箱本体３内に収容される。
【００３４】
保持部１８は、部品収容部１１内に収容された状態の本体部１７の箱本体３の下面側に連なっている。保持部１８は、本体部１７から下面に向かって延在しかつ互いに平行な複数（図示例では、四つ）の延在壁２０と、延在壁２０の本体部１７から離れた側の端に連なる引っ掛け壁２１とを備えている。延在壁２０には、コネクタ９の外表面に係止する係止アーム２２が一体に設けられている。引っ掛け壁２１は、互いに隣り合う二つの延在壁２０が互いに近づく方向に延在している。前述した構成の保持部１８は、互いに隣り合う二つの延在壁２０間でかつ本体部１７と引っ掛け壁２１との間にコネクタ９を位置付けて、当該コネクタ９を保持する。なお、このとき、係止アーム２２がコネクタ９の外表面に係止して、当該コネクタ９が本体部１７から脱落することを規制する。
【００３５】
箱取付部１９は、第１取付部２３と、第２取付部２４とを備えている、第１取付部２３は、本体部１７が部品収容部１１内に収容されると、一方のロックアーム１２に相対する本体部１７の長手方向の一端部１７ａの外面に設けられている。第１取付部２３は、図８に示すように、係止突起２５と、一対の位置決めリブ２６とを備えている。係止突起２５は、本体部１７の長手方向の一端部１７ａの外面から凸に形成されている。係止突起２５は、本体部１７が部品収容部１１内に収容されると、ロックアーム１２の貫通孔１４内に侵入して、当該ロックアーム１２に係止する。
【００３６】
一対の位置決めリブ２６は、互いの間に係止突起２５を位置する位置に設けられ、本体部１７の長手方向の一端部１７ａの外面から当該外面に対して直交する方向に凸に形成されている。位置決めリブ２６は、第２取付部２４の後述する係止アーム３０のアーム本体３２の長手方向と平行に直線状に延在している。位置決めリブ２６は、本体部１７が部品収容部１１内に収容されると、位置決め溝１３の平行部２９内のみに侵入して、本体部１７即ちコネクタカバー４を部品収容部１１即ち箱本体３に位置決めする。
【００３７】
また、一対の位置決めリブ２６の箱本体３の上面寄りの保持部１８から離れた側の端部には、特許請求の範囲に記載した減少部２９が設けられている。減少部２９は、位置決めリブ２６の上面寄りの端に向かうにしたがって即ち保持部１８から離れるのにしたがって徐々に本体部１７の外面からの突出量が減少するように形成されている。
【００３８】
第２取付部２４は、本体部１７が部品収容部１１内に収容されると、他方のロックアーム１２に相対する本体部１７の長手方向の他端部１７ｂの外面に設けられている。第２取付部２４は、一つの係止アーム３０と、一対の位置決めリブ３１とを備えている。係止アーム３０は、図３に示すように、アーム本体３２と、突起３３とを備えている。アーム本体３２は、帯板状に形成され、かつ、一端が本体部１７の前述した他端部１７ｂの外面の下面寄りの箇所に連なり、他端が前記一端から上面に近づく方向に延在して自由端に形成されている。突起３３は、アーム本体３２の中央部から凸に形成されている。突起３３は、本体部１７が部品収容部１１内に収容されると、ロックアーム１２の貫通孔１４内に侵入して、当該ロックアーム１２に係止する。突起３３がロックアーム１２に係止すると、アーム本体３２の自由端の他端は、ロックアーム１２の上面寄りの先端よりも上面側すなわち箱本体３の外側に突出（位置）する。
【００３９】
一対の位置決めリブ３１は、互いの間に係止アーム３０を位置する位置に設けられ、係止アーム３０の長手方向と平行に直線状に延在している。位置決めリブ３１は、本体部１７の長手方向の他端部１７ｂの外面から当該外面に対して直交する方向に凸で平行部２７内に侵入する直交凸部３４と、前記直交凸部３４の先端に連なりかつ一対の位置決めリブ３１が互いに離れる方向に前記外面と平行に延在して離間部２８内に侵入する平行凸部３５とを一体に備えている。位置決めリブ３１は、本体部１７が部品収容部１１内に収容されると、位置決め溝１３内に侵入して、本体部１７即ちコネクタカバー４を部品収容部１１即ち箱本体３に位置決めする。
【００４０】
前述した構成のコネクタカバー４は、以下に示すように、電気接続箱２を組み立てる際に用いられる。まず、図９に示すように、コネクタカバー４は、保持部１８にパワーインテグレーション５に取り付けられるコネクタ９を保持した状態で、部品収容部１１内に収容されて箱本体３に取り付けられて、接続箱ユニット１として自動車の組み立てラインまで搬送されてくる。このとき、図３に示すように、係止突起２５が一方のロックアーム１２に係止し、係止アーム３０の突起３３が他方のロックアーム１２に係止して、コネクタカバー４は、箱本体３に固定されている。更に、勿論、位置決めリブ２６，３１が位置決め溝１３内に侵入している。
【００４１】
そして、自動車の組み立てラインにおいて、前記係止アーム３０のアーム本体３２の突起３３寄りも突出した他端が本体部１７に近づけられて、係止アーム３０の他方のロックアーム１２に対する係止が解除される。そして、コネクタカバー４は、あたかも本体部１７の一端部１７ａを中心として回転されて、部品収容部１１から抜き取られて、図１０に示すように、箱本体３から取り外される。すると、勿論、保持部１８に保持したコネクタ９が、コネクタカバー４とともに箱本体３外に導かれる。そして、コネクタカバー４からコネクタ９を取り外して、図１１に示すように、これらのコネクタ９をパワーインテグレーション５に取り付ける。そして、図１２に示すように、パワーインテグレーション５が部品収容部１１内に収容されて、箱本体３に取り付けられる。そして、電気接続箱２は、アッパカバーなどが取り付けられて、組み立てられて、自動車に取り付けられる。こうして、組み立てられた電気接続箱２は、自動車の電源からの電力を分岐した後、リレー７、ヒューズ３６及びパワーインテグレーション５を通した後に、自動車の各電子機器に供給する。
【００４２】
本実施形態によれば、箱取付部１９が本体部１７の一端部から突出した係止突起２５と、本体部１７の他端部に設けられた係止アーム３０とを備え、係止アーム３０の他端が箱本体３に設けられたロックアーム１２よりも外側に位置している。このために、係止アーム３０の他端をロックアーム１２に対する係止を解除する本体部１７の外面に近づく方向に容易に移動させることができ、当該係止アーム３０の係止を容易に解除できる。よって、コネクタカバー４を箱本体３から容易に取り外すことができる。したがって、箱本体３からコネクタカバー４を簡単に取り外すことができる。
【００４３】
本体部１７の係止突起２５が設けられた一端部１７ａに位置決めリブ２６を設けているので、当該位置決めリブ２６により箱本体３に取り付けられたコネクタカバー４を位置決めすることができる。また、位置決めリブ２６が保持部１８から離れるのにしたがって徐々に突出量が減少した減少部２９を備えているので、位置決めリブ２６が、係止アーム３０の係止を解除してコネクタカバー４を箱本体から取り外す際に、箱本体３に引っ掛かることを防止できる。よって、箱本体３からコネクタカバー４を確実に簡単に取り外すことができる。
【００４４】
位置決めリブ２６を一対備え、これら一対の位置決めリブ２６間に係止突起２５を位置付けているので、箱本体３に取り付けられたコネクタカバー４を確実に位置決めすることができる。
【００４５】
また、接続箱ユニット１が前述したコネクタカバー４を備えているので、係止アーム３０の他端をロックアーム１２に対する係止を解除する方向に容易に移動させることができ、当該係止アーム３０の係止を容易に解除でき、コネクタカバー４を箱本体３から容易に取り外すことができる。
【００４６】
なお、前述した実施形態では、コネクタカバー４を箱本体３から取り外して、パワーインテグレーション５を箱本体３に取り付けて、電気接続箱２を組み立てている。しかしながら、本発明では、コネクタカバー４を箱本体３に取り付けたままとし、パワーインテグレーション５を箱本体３に取り付けずに、電気接続箱２を組み立てても良い。
【００４７】
また、前述した実施形態では、コネクタカバー４が電気部品としてのパワーインテグレーション５に取り付けられるコネクタ９を保持していたが、本発明では、コネクタカバー４がパワーインテグレーション５以外のリレー７などの電気部品に取り付けられるコネクタ９を保持しても良い。
【００４８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４９】
１  接続箱ユニット
２  電気接続箱
３  箱本体
４  コネクタカバー
５  パワーインテグレーション（電気部品）
８  ワイヤハーネス
９  コネクタ
１２  ロックアーム（ロック部）
１７  本体部
１７ａ  一端部
１７ｂ  他端部
１８  保持部
１９  箱取付部
２５  係止突起
２６  位置決めリブ
２９  減少部
３０  係止アーム
３２  アーム本体
３３  突起
【図１】
0005608447.tif 000002
【図２】
0005608447.tif 000003
【図３】
0005608447.tif 000004
【図４】
0005608447.tif 000005
【図５】
0005608447.tif 000006
【図６】
0005608447.tif 000007
【図７】
0005608447.tif 000008
【図８】
0005608447.tif 000009
【図９】
0005608447.tif 000010
【図１０】
0005608447.tif 000011
【図１１】
0005608447.tif 000012
【図１２】
0005608447.tif 000013